(57)【要約】      （修正有）【課題】呼吸は苦しくなく出来、かつ防湿、防寒がある素材によって、体温や口腔、鼻腔の湿度や温度を奪われなくなり、風邪を引き難く、快適に眠れる、防寒着を提供する。【解決手段】鼻や口を蔽っても苦しくならない、繊維密度で、しかも十分保温効果があり、湿度を保全し、かつ、痒くなったりしなく、衛生面から、洗濯が容易な素材を使って、頭からすっぽり蔽うことが出来る構造か、顔を蔽うことに抵抗のある人には、目を蔽わないで、外れ難いように目の下から鼻梁にかけて、顎の下及び首の周りをゴムのシャーリング加工やマジック・テープやホックなどで固定するとともに、肩から上腕まで蔽うことが出来る末広がりの布で蔽うことが出来るような防寒着。【選択図】図１
0003105820.tif 000002
【実用新案登録請求の範囲】
【請求項１】
頭全体あるいは顔の両目の下から鼻、首および肩までを覆う衣類で、呼吸器系の呼吸を妨げない布でしかも位置ずれがしないようにゴ厶や紐およびホックなどで固定したり、外れないような工夫を施した保護着で、しかも保温性、保湿性の高い生地で構成する。
【請求項２】
鼻や口をおおう布地は衛生面を維持するために、この部分のみを交換できる構造も付加できるようにする。あるいは全体を洗濯できる素材で、構成する。
【考案の詳細な説明】
【技術分野】
【０００１】保護衣  Ａ４１Ｇ
［背景技術］【０００２】マフラーや快巻き布団では、一番風邪を引きやすい呼吸器系を保護することが出来ず、より良い方法が望まれている。
［考案の開示］
［考案が解決しようとする課題］【０００３】鼻や口で呼吸をする時、室温と体温との差が大きくなると、鼻腔や口腔の温度、湿度が低くなり、風の原因である細菌やヴィールスが活動活発にする要因を作ってしまい風邪を引き易くなってしまう。【０００４】単に布を巻きつけただけだと、寝返りや、動きによって、簡単に脱落してしまう。
［課題を解決するための手段］【０００４】鼻や口を布で蔽っても呼吸を妨げない布で、かつ体温や湿度を奪わない素材で保護着を製作する。【０００５】目の下と鼻梁の段差部分を上部の固定位置とし、首の部分を顎よりは細く締めるが首を強く締め付けない範囲で固定できる構造を付加する。この構造によって保護着が脱落しなくなる。【０００６】さらに首の下は、末広がりとし、肩をすっぽりと蔽えるようにする。
［考案の効果］【０００７】この発明の保護着によって、呼吸は苦しくなく出来、かつ防湿、防寒がある素材によって、体温や口腔、鼻腔の湿度や温度を奪われなくなり、風邪を引き難く、快適に眠れる。
［考案を実施するための最良の形態］【０００８】［図  １］のような形状や「図  ２」のような形状を基本形とするが、［図３］や［図４］はより安価な仕様で、単に紐やマジック・テープで固定できるようにする。【０００９】  口や鼻を蔽う部分だけを、呼吸しやすい布や不織布で蔽う場合は、脱着出来るようにポケットをつけたり、フック製の繊維で、ループ製の物を着けたり外したり簡単に出来るように、何回も脱着出来るテープを用いたりする。
［実施例］【００１０】［図１］は顔面一体型防寒防風邪用保護着の実施例で、目の下の装着時の脱落を防止するために、ゴム紐で、全体が伸縮するシャーリング加工を施し、装着を容易にする。
同様に鼻の下や顎の下および首周りもゴムで、シャーリング加工を施した。
首から肩にかけて全体を蔽いつくせるように、肩周りは後方部で重なるように、重なり合う合わせ部分を設けた。【００１１】［図２］はシャーリング型防寒防風邪用保護着の実施例である。目の下から首までは顔面一体型防寒防風邪用保護着と同じであるが、全体が筒状になっていて、肩から上腕部にかけて、尻つぼみに、ゴムの圧力を大きくして外れ難い工夫が施してある。【００１２】［図３］は安価な防寒防風邪用保護着の実施例である。この方式では、端々をマジック・テープで固定して、保護着が外れないようにする。肩にもマジック・テープを装着できるようにしてあるが、多くは仕様されないであろう。【００１３】［図４］は［図３］と基本構造は同じであるが、呼吸器系の口や鼻は細菌やヴィールスおよび体液などの汚染が心配されるので、この部分だけを洗濯するために、交換できるように、ポケットを設けたり、貼り付けたりできるように工夫した実施例である。また目の下，鼻の下首や顎の下などを紐で結わえるようにした実施例である。
［産業上の利用可能性］【００１４】素材が既に確保できているので、すぐ商品化できる環境にある。
【図面の簡単な説明】
【００１５】［図１］
顔面一体型防寒防風邪用保護着の平面図である。
［図２］
シャーリング型防寒防風邪用保護着の平面図である。
［図３］
安価な防寒防風邪用保護着の平面図である。
［図４］
布交換可能防寒防風邪用保護着の平面図である。
［図５］
防寒防風邪用保護着を人が着用した使用例である。
［符号の説明］【００１６】１    目の下のゴムのシャーリング
２    鼻の下のゴムのシャーリング
３    顎の下のゴ厶のシャーリング
４    首の周りのゴムのシャーリング
５    首周りの合わせ重ね部分
６    くび・肩周りの合わせ重ね部分の内側の縁
７    肩および上腕部周りのゴムのシャーリング
８    目の下・鼻の下・顎の下・首周りのゴムのシャーリング
９    マジック・テープ
１０  マジック・テープ
１１  肩を蔽う布
１２  保護着の止め紐
１３  交換用布
１４  防寒防風邪用保護着
１５  人体の頭部から上腕部までの寝た姿
【図１】
0003105820.tif 000003
【図２】
0003105820.tif 000004
【図３】
0003105820.tif 000005
【図４】
0003105820.tif 000006
【図５】
0003105820.tif 000007
【手続補正書】
【提出日】平成16年7月1日(2004.7.1)
【手続補正１】
【補正対象書類名】実用新案登録請求の範囲
【補正対象項目名】全文
【補正方法】変更
【補正の内容】
【実用新案登録請求の範囲】
【請求項１】
保温性、保湿性及び通気性のある素材を使って、鼻や口を蔽う部分にゴムを利用したシャーリング加工のふくらみを持たせ、このふくらみが鼻の凹凸部に当たることと、さらに顎の下を蔽う部分にゴムを取り付けることによって、ずれや脱落を防止し、さらに、肩まですっぽりと蔽ってかつ胸の前、あるいは背中で、軽く固定あるいは重ねあうようにして、寝返りなどで外れたり、ずれたりしない工夫を施した防寒着。
【請求項２】
呼吸器系を蔽う部分だけを一回きりの使い捨て交換あるいは洗濯ができるように脱着出来る構造を付加した請求項１記載の防寒着。
【請求項３】
固定方法として、頭部、首、顎、背中あるいは胸部の前後で面ファスナーや紐でとめることが出来るようにした請求項１記載の防寒着。
【手続補正２】
【補正対象書類名】明細書
【補正対象項目名】全文
【補正方法】変更
【補正の内容】
【考案の詳細な説明】
【背景技術】
【０００１】マフラーや快巻き布団では、一番風邪を引く呼吸器系を保護することが出来ずに、冬場に風邪を予防し難いので、よりよい防寒着が望まれていた。【０００２】鼻や口で呼吸をする時、冬場の室温と体温との差が大きく、しかも湿度が低いので、風邪の細菌類の繁殖に最適な環境が形成されるので、風邪を引きやすくなる。【０００３】単に、布を巻きつけただけでは、朝起きて見ると、脱落していて、結果風邪を引いてしまいやすい。
【課題を解決するための手段】
【０００４】鼻や口を蔽っても呼吸を妨げない密度の素材を用いて、保温と保湿効果のある素材を用いる。
【０００５】寝返りで呼吸器系の蔽いの効果を無くさないように、鼻の凹凸を利用して、鼻の上下左右で、ゴムを利用してシャーリング加工し、脱落やずれをなくし、かつ呼吸がし易いように鼻や口の周りにふくらんだ空間を施した。
【０００６】さらに首や肩の露出による体温の放出をふせぐため肩から上腕まで蔽い、かつ動きやすく、ずれ難いように顎の下にゴムのシャーリング加工を施した。
【０００７】固定方法として、頭部、首や背中あるいは胸部の前後で面ファスナーや紐でとめることが出来る構造を付加して、調整を容易にした方式も採用した。
【考案の効果】
【０００８】この考案の脱落防止機能と、呼吸を妨げることもなく、暖かく、適度な湿度維持できる防寒着によって、風邪を引きにくく、また寝返りもし易く、快適な睡眠が得られるようになった。
【考案を実施するための最良の形態】
【０００９】（図  １）は全素材が洗濯の容易な素材で、呼吸を妨げないが、十分な保温性と、保湿性を持った素材で構成され、目の下と鼻梁の凹凸を利用して、鼻の上下左右をゴムのシャーリング加工で優しく固定し、脱落を防止しながら、鼻及び口の空間のふくらみを設け、鼻に強い圧力がかからないようにし、さらに、顎の下のくびれ部分にゴムでシャーリング加工を施し、より外れ難くし、首、肩、上腕まですっぽりと蔽い、なおさら外れ難くするために、胸部の前で二重に重なる代を持たせた防寒着。【００１０】（図  ４）呼吸器系の部位のみが１回で使い切るかあるいは洗濯して何回か使用できるように面ファスナーで固定できるようにした防寒着。
（図  ５）基本構造は図１及び図４と変わらないが、頭部、首、肩まで蔽い、面ファスナーで調整して快適にフィットできるようにした防寒着。
【実施例】
【００１１】（図１）は（１）呼吸器系の蔽いはゴムを利用してふっくらとふくらみを設け鼻や口の呼吸を妨げないが、このふくらみが鼻の凹凸にあたり、ずれ難い構造と保温性、保湿性の確保と呼吸の圧迫感をなくす工夫を施した。
（２）鼻の下は一例として、ゴムを用いて少し細く絞っていて、（１）の工夫とともに、鼻の下を軽く絞って、より外れにくくした。
（３）顎の下を蔽う部分にゴムを取り付けて、軽く顎にかかるようにし、一層外れ難くしている。
（４）首から肩及び上腕まではゆとりのある素材ですっぽりと覆われ、胸部の前で二重に重なるようし、十分な保温性を確保した。
このような構造を構成とする防寒着。【００１２】（図  ４）呼吸器系の部分だけをガーゼや不織布で蔽い、洗濯や交換が出来るようにして、患者や伝染病に対しても、衛生的に対応できるように交換マスク部を設けた実施例。【００１３】（図５）頭部、首、胸部の前で面ファスナーを使って、簡単に調整、固定出来るようにした防寒着。
【産業上の利用可能性】
【００１４】保湿性、保温性をもった素材で、かつ呼吸を妨げない素材は確保されていて、さらに通気性をあげるには、粗度を荒く仕上げさせることも可能である。呼吸器系を蔽う部位の脱落防止ようには、柔らかなゴムを使い、痛くも苦しくもない構造も確保でき、即製品化可能である。
【図面の簡単な説明】
【００１５】
【図１】  全体が洗濯できる素材で構成し、胸部の前で二重重ねになった防寒着の正面図
【図２】  図１の防寒着の側面図
【図３】  図１防寒着の立面図
【図４】  呼吸器系部分だけを交換や洗濯できる素材で構成できるようなマスク部を面ファスナーで固定できる防寒着の正面図
【図５】  素材や機能は図１や図４と変わらないが、固定方法を頭部、首、肩胸部の前で面ファスナーによって調整、固定できるようにした防寒着の正面図
【図６】  人体に装着した図１の実施例
【符号の説明】
１      呼吸器系のふくらみとゴムのシャーリング加工部分
２      鼻の下の少し細くなった部位
３      顎の下の一段と細くなった部位
４      首の部位に少しのくびれ設けた部分
５      胸部前の二重重ねの部分
６      呼吸器系の部位だけを交換あるいは洗濯できるように、面ファスナーで交換できるようにしたマスク部分
７      面ファスナー
【手続補正３】
【補正対象書類名】図面
【補正対象項目名】全図
【補正方法】変更
【補正の内容】
【図１】
0003105820.tif 000008
【図２】
0003105820.tif 000009
【図３】
0003105820.tif 000010
【図４】
0003105820.tif 000011
【図５】
0003105820.tif 000012
【図６】
0003105820.tif 000013